(57)【要約】【課題】  脱ぎ履きが容易であり、且つ、釣り用タイツの下端のずり上がりを防止し得る釣用ブーツを提供する。  【解決手段】  この釣用ブーツは、ブーツ本体１と、ブーツ本体の底面に脱着自在に装着されるフェルトソール２とを備える。ブーツ本体１は、甲部分１ａと、甲部分１ａから上方に延びる胴筒部分１ｂとを有し、胴筒部分１ｂの上端部の履き口の周縁に周方向に帯状に形成されたゴム材５を有する。ゴム材５はクロロプレンゴム等からなり、表面には必要に応じてエンボス加工などを施す。このゴム材５が、釣用タイツ６の下端のずり上がりを抑えている。【選択図】      図１
2005211240.tif 000002
【特許請求の範囲】
【請求項１】
ブーツ本体と、前記ブーツ本体の底面に脱着自在に装着されるフェルト層とを備え、
前記ブーツ本体は、甲部分と、前記甲部分から上方に延びる胴筒部分とを有し、前記胴筒部分の上端部の履き口の周縁に周方向に帯状に形成された滑り止め面を有する、魚釣用ブーツ。
【請求項２】
前記ブーツ本体の胴筒部分の内股側の側面には履き口から上下方向に延びる割りが形成され、前記割りを開閉するためのファスナが装着されており、前記割りを挟んだ前記胴筒部分の内股側の側面に前記滑り止め面を有している、請求項１に記載の魚釣用ブーツ。
【請求項３】
前記滑り止め面は、クロロプレンゴムからなる薄板を前記ブーツ本体の周面に取り付けて形成されている、請求項１または２に記載の魚釣用ブーツ。
【請求項４】
前記薄板は、表面にエンボス加工を施している、請求項３に記載の魚釣用ブーツ。
【請求項５】
前記滑り止め面は、２液ウレタン系ゴム塗料を前記ブーツ本体の周面に塗布して形成されている、請求項１または２に記載の魚釣用ブーツ。
【発明の詳細な説明】
【技術分野】
【０００１】
本発明は、魚釣りの際に履いて河川の中などを滑らずに歩くためのブーツに関する。
【背景技術】
【０００２】
例えば、鮎釣りの際には、釣人が河川の中に入り込んで河川の中から釣りをすることも多い。そこで、水中でも滑らずに安定した状態で歩行が可能となるように、釣人は釣用のブーツを履くことが多い。
【０００３】
このようなブーツは、一般に、クロロプレンゴム等のゴム素材とナイロン繊維等からなる生地とを組み合わせて形成されたブーツ本体を有する（特許文献１参照）。また、その底面にはフェルト生地等からなるソールが固定され若しくは脱着自在に装着される。そして、フェルトソールには必要に応じて滑り止めピンなどが取り付けられる（例えば、特許文献２参照）。釣人は、水中等の滑りやすい箇所でこのようなブーツを履き、フェルトソールの滑り止め効果を得るのである。
【０００４】
ところで、水中に入り込んで釣りをおこなう際には、水の冷たさから身体を守りまた障害物から身体を守るために、釣人は水中用のタイツを履くことも多い。このタイツも上述のブーツと同様に、クロロプレンゴム等から形成されている。そして、釣人は、このタイツを履き、さらに釣用ブーツを履いて釣りをおこなう。
【０００５】
このようなブーツとタイツを組み合わせて利用する際に生じる問題の１つに、装着時にタイツの下端がずり上がってきてしまうということがある。このようなずり上がり防止のために、面ファスナをタイツの下端に取り付けたタイツが提供されている。また、ブーツとタイツとが一体化したものも提供されている。
【０００６】
しかし、面ファスナを一々取り付けるのは面倒であり、また、必ずしも十分にタイツのずり上がりを抑えられていない。他方、ブーツとタイツの一体化したものは脱着が面倒であるとするユーザも多い。
【特許文献１】特開平11-099004号公報
【特許文献２】特開2002-177003号公報
【発明の開示】
【発明が解決しようとする課題】
【０００７】
本発明は、上述の問題点に鑑み、脱ぎ履きが容易であり、且つ、釣用タイツの下端のずり上がりを防止し得る釣用ブーツを提供するものである。
【課題を解決するための手段】
【０００８】
本発明の釣用ブーツは、ブーツ本体と、ブーツ本体の底面に脱着自在に装着されるフェルト層とを備える。そして、ブーツ本体は、甲部分と、甲部分から上方に延びる胴筒部分とを有し、胴筒部分の上端部の履き口の周縁に周方向に帯状に形成された滑り止め面を有する。
【０００９】
釣人はこのブーツを履き、釣用タイツを履き、タイツの下端をブーツのブーツ本体の胴筒部分に被せておく。釣用タイツはゴム素材から形成されており、そのタイツの内周面とブーツの胴筒部分の滑り止め面とが接触して、タイツの下端のずり上がりを抑える。
【００１０】
また、本発明のブーツにおいては、ブーツ本体の胴筒部分の内股側の側面には履き口から上下方向に延びる割りが形成され、割りを開閉するためのファスナが装着されており、割りを挟んだ胴筒部分の内股側の側面に滑り止め面を有するものとしてもよい。
【００１１】
このブーツでは、釣人はファスナを開閉してブーツを履くことができ脱ぎ履きが容易である。また、このようなファスナ及び滑り止め面を、ブーツの内股側の側面に設けることで、外から見た意匠性にも優れる。
【００１２】
この滑り止め面は、例えば、クロロプレンゴムからなる薄板をブーツ本体の周面に取り付けて形成されている。好ましくは、その周面には細かい凹凸を形成しエンボス加工を施す。若しくは、この滑り止め面は、２液ウレタン系ゴム塗料をブーツ本体の周面に塗布して形成されている。
【発明の効果】
【００１３】
本発明のブーツはタイツと併用しても、タイツの下端のずり上がりを効果的に防止できる。
【発明を実施するための最良の形態】
【００１４】
本発明に係る釣用ブーツについて、図面を参照しつつ説明する。
【００１５】
この釣用ブーツは、左右それぞれの足用の一対の組物である。図１に示すように、ブーツ本体１と、ブーツ本体１の底面に装着されるフェルトソール２とを有する。
【００１６】
ブーツ本体１は、詳しくは、甲部分１ａ，甲部分１ａから上方に延びる筒胴部分１ｂ，ソール部分１ｃに区分される。甲部分１ａ及び筒胴部分１ｂは、例えば、クロロプレンゴムなどからなるゴム層にナイロン繊維からなる伸縮性ジャージ部材を貼り合わせた積層構造を有し、防水加工を施したものである。これらの表面には商品イメージに合わせて様々な模様等が描かれ、さらに、甲部分１ａの爪先やかかとなどには部分的に補強用ゴムが貼り付けられている。また、このようなブーツ本体１の甲部分１ａには、ユーザの足へのブーツ本体１のフィット感を向上させるための面ファスナベルトなども取り付けられている。
【００１７】
ソール部分１ｃは、例えば、ウレタンゴム等のゴム部材やその他のEVA等の合成部材をブーツ本体１の底面に合わせて形成した薄板部材である。ゴム層２はブーツ本体１の底面に接着固定されまたは面ファスナ等によって脱着自在に固定されるものでもよい。
【００１８】
胴筒部分１ｂには、内股側の側面（即ち、左足用のブーツであればその右側面，右足用のブーツであればその左側面）には割りが形成されている。この割りは、履き口から上下方向に延びるものである。割り部分の両端縁にはファスナのチェーンエレメントが取り付けられており、スライダの上下によりこの割りは開閉可能となっている。
【００１９】
また、胴筒部分１ｂの上端の履き口の周縁には、ゴム材５が貼り付けられている。ゴム材５は、割りの左右に分かれて、胴筒部分１ｂの内股側の側面に設けられている。このゴム材５はイソプレンゴム等を帯状に加工したものであり、接着剤により所定の胴筒部分1ｂに接着され、若しくは縫合されている。ゴム材５の表面にはエンボス加工を施してもよい（図３参照）。
【００２０】
フェルトソール２は、面ファスナ等によって脱着自在に上述のソール部分１ｃに装着されるフェルトからなる薄板状部材である。具体的には、ポリプロピレン等の合成繊維を一枚板状に構成したものである。そして、このフェルトソール２の底側表面には、幅方向に伸びる溝やピンなどが必要に応じて設けられる。
【００２１】
次に、釣人が本発明のブーツと共に併用する釣用タイツを図３に示し、これについて概説する。
【００２２】
図２に示すように、この釣用タイツ６は、釣人の腰から下の下半身を覆うためのものであり、左右一対の脚部分を有する。このタイツはクロロプレン等のゴム素材にナイロン繊維等からなるジャージ素材を積層させて組み合わせて形成されている。このタイツは、その表面の一部分、例えば、膝部分や尻部分などにはさらに補強用のゴムパット等が貼り合わされている。また、脚部分の下端の足口部分には、例えば、背面側に足口から上下方向に延びる割りと、割りを開閉するためのファスナが取り付けられている。そして、割りの下端（足口側）には、面ファスナが設けられている。
【００２３】
以上のような釣用ブーツと釣用タイツ６とを履いて、釣人は河川などの中に入り込んで釣りをおこなう。この際、図３に示すように、釣用タイツ６の脚部の下端は、釣用ブーツのブーツ本体１の胴筒部分１ｂに被せておく。そして、上述の釣用タイツ６の脚部の足口の面ファスナでしっかりと固定する。上述のように、釣用タイツ６はゴム素材から形成されており、そのタイツの内周面とブーツの胴筒部分１ｂのゴム材５とが接触して、タイツの脚部の下端のずり上がりが抑えられることになる。
【００２４】
また、このブーツでは、釣人はファスナを開閉してブーツを履くことができ脱ぎ履きが容易である。そして、ファスナ及びゴム材５を、ブーツの内股側の側面に設けることで、外から見た意匠性にも優れるものとなっている。
【００２５】
なお、この実施形態では、帯状に加工されたゴム材５を利用した場合を例示しているが、これに代えて、図４に示すようなものを採用してもよい。ここでは、ブーツ本体１の胴筒部分１ｂの上端の履き口の周縁に、クロロプレンゴムからなるゴム塗料をドッド状にディッピングして複数のゴム突起１５を形成している。ここでは、上記実施形態と異なり、胴筒部分の全周方向に渡って、このゴム突起１５をランダムに形成している。このような構造を採用しても、上記実施形態と同様の効果を得られる。
【００２６】
もっとも、このようなゴム突起１５の形成手法は、ディッピング手法に限定されるものではなく、その他スクリーン印刷，シート転写手法などを適宜利用してもよい。
【図面の簡単な説明】
【００２７】
【図１】本発明の１つの実施形態を採用した釣用ブーツを示した図。
【図２】釣用タイツの一例を示した図。
【図３】図１の釣用ブーツの胴筒部分１ｂの拡大図。
【図４】胴筒部分の変形例を示した図。
【符号の説明】
【００２８】
１  ブーツ本体
１ａ  甲部分
１ｂ  胴筒部分
１ｃ  ソール部分
２  フェルトソール
５  ゴム板材
６  釣用タイツ
１５  ゴム突起
【図１】
2005211240.tif 000003
【図２】
2005211240.tif 000004
【図３】
2005211240.tif 000005
【図４】
2005211240.tif 000006